(57)【特許請求の範囲】
【請求項１】
下端部が固定具により建物に固定され、複数部材が所定の接続部を含む接続部にて接続されて形成される避雷針を、前記固定具を取外しても安定して立てた状態で吊上げて、建物から取外すための避雷針取外方法であって、
前記避雷針を取外す際に、
前記避雷針を外から覆うことができ所定の長さを有する鞘管と、
該鞘管の上端部近傍に前記鞘管の軸に直交方向に貫通して固定される第１取付部である環状の取付ワイヤと、
前記鞘間の下端部近傍に設けられる介錯ロープを取り付け可能にする第２取付部と、
前記取付ワイヤに一端を接続する所定の長さの第１台付ワイヤロープと、
前記鞘管長さに前記第１台付ワイヤロープの長さを加えた長さより長い第２台付ワイヤロープと
を備える避雷針取外用治具を用い、
前記鞘管の取付ワイヤに一端を接続された前記第１台付ワイヤロープの他端側を吊上げ手段であるクレーンのフックに対し取付ける第１ロープ取付工程と、
前記第２台付ワイヤロープの一端側を前記フックに対し取付ける第２ロープ取付工程と、
前記クレーンにより前記鞘管を吊上げ、前記避雷針に差し込む鞘管差込工程と、
前記避雷針の所定の接続部を含む高さ範囲に前記鞘管を配置した状態で、当該鞘管よりも下方に位置する前記避雷針の所定部位に対し前記第２台付ワイヤロープの他端側を取付ける避雷針締結工程と、
前記避雷針を前記建物に固定した固定具を取外す固定具取外工程と、
前記吊上げ手段により前記避雷針及び前記鞘管を吊上げ運搬する撤去工程とを備え、
前記鞘管として、その内径寸法が、前記避雷針の所定の接続部よりも上側部分の最大外径寸法及び下側部分の最小外径寸法を加えた大きさよりも小さいものを用いることを特徴とする避雷針取外方法。
【請求項２】
一端に延び出したワイヤロープを有する安全ブロックの他端を前記フックに対し取付ける安全ブロック取付工程と、
前記延び出したワイヤロープに対し作業者の装着した安全帯を繋ぐ安全帯接続工程とを備えたことを特徴とする請求項１に記載の避雷針取外方法。
【請求項３】
前記鞘管の下端部近傍に設けられる前記第２取付部に対して取付けた介錯ロープを作業員が水平方向に誘導することで、前記クレーンにより吊上げられた前記鞘管を誘導する誘導工程を備えたことを特徴とする請求項１又は２に記載の避雷針取外方法。
【請求項４】
下端部が固定具により建物に固定され、複数部材が所定の接続部を含む接続部にて接続されて形成される避雷針を、前記固定具を取外しても安定して立てた状態で吊上げて、建物から取外す避雷針取外方法で用いられる避雷針取外用治具であって、
前記避雷針を外から覆うことができ所定の長さを有する鞘管と、
該鞘管の上端部近傍に前記鞘管の軸に直交方向に貫通して固定される第１取付部である環状の取付ワイヤと、
前記鞘間の下端部近傍に設けられる介錯ロープを取り付け可能にする第２取付部と、
前記取付ワイヤに一端を接続する所定の長さの第１台付ワイヤロープと、
前記鞘管長さに前記第１台付ワイヤロープの長さを加えた長さより長い第２台付ワイヤロープと
を備え、
前記鞘管として、その内径寸法が、前記避雷針の前記所定の接続部よりも上側部分の最大外径寸法及び下側部分の最小外径寸法を加えた大きさよりも小さく形成され、
前記避雷針を建物から取り外す際には、
前記鞘管の取付ワイヤに一端を接続された前記第１台付ワイヤロープの他端側を吊上げ手段であるクレーンのフックに対し取付け、
前記第２台付ワイヤロープの一端側を前記フックに対し取付け、
前記吊上げ手段により前記鞘管を吊上げ、前記介錯ロープで誘導しつつ前記避雷針に差し込み、
前記避雷針の所定の接続部を含む高さ範囲に前記鞘管を配置した状態で、当該鞘管よりも下方に位置する前記避雷針の所定部位に対し前記第２台付ワイヤロープの他端側を取付け、
前記避雷針を前記建物に固定した固定具を取外し、
前記吊上げ手段により前記避雷針及び前記鞘管を吊上げ運搬するように用いられる
ことを特徴とする避雷針取外用治具。
【発明の詳細な説明】
【技術分野】
【０００１】
本発明は、複数部材が接続されてなる避雷針を取外すための避雷針取外方法、及び、当該避雷針取外方法において使用される避雷針取外用治具に関するものである。
【背景技術】
【０００２】
建物の屋上等には、落雷等から建物を守るために避雷針が設置される。一般に避雷針は、その全長が長いため、複数の部材を接続することにより構成されている。具体的には、避雷針の先端部を構成する突針と、それを支持する少なくとも１つの支持管とを備えてなる。
【０００３】
突針と支持管の接続構造（又は、支持管同士の接続構成）としては、例えば突針に形成された雄ネジ部を支持管先端に穿設された雌ネジ部にねじ込む方法や、突針を支持管先端に差し込みロウ付けする方法、又は支持管側面の複数箇所から押しネジにて固定する方法などが知られている（例えば、特許文献１参照）。
【０００４】
しかしながら、どのような接続方法であっても、長期使用による経年変化により接続部に緩みや破損等が生じる。このように接続部に緩み等が発生すると、風圧による揺れ等が原因となり、当該接続部よりも上側部分が傾くおそれがある。
【０００５】
したがって、避雷針の接続部に緩み等が発生した場合には、当該避雷針を取替える必要がある。しかし、避雷針の接続部に緩み等が発生した状態のまま、作業員が容易に近づける支持管のみを吊りロープなどに固定し、当該避雷針を建物からまるごと取外そうとすると、クレーン等で吊りロープを吊上げ撤去する際、当該緩み等が発生した接続部よりも上側の突針部分などが抜け落ちてしまうおそれがある。作業上とても危険であり、又建屋も損傷させるおそれがある。
【０００６】
そのため、従来では、図８に示すように、緩み等が発生した避雷針７０の接続部７１のある高さ位置までビデ足場など仮設の足場７５を組上げ、突針など上部に吊りロープなどを仮固定したのち、当該接続部７１を取外して当該接続部７１よりも上側の突針や上方支持管など上側部分７２と下側部分７３とに分解した後、クレーン等でまず突針を吊り上げ撤去し、しかるのちに下側の支持管を吊り上げ撤去することで、上側部分７２と下側部分７３とを別々に吊上げ撤去していた。
【先行技術文献】
【特許文献】
【０００７】
【特許文献１】特開２００１−２５１４５号公報
【発明の概要】
【発明が解決しようとする課題】
【０００８】
しかしながら、従来の方法では、建物の屋上等での足場の組立作業及び解体作業を要するため手間や時間がかかると共に、仮設費としてのコストの増大が懸念される。また、足場に上がって高所作業を行うため、作業性が低下すると共に、作業者や工具の落下防止等に関し、多大な配慮を払う必要がある。
【０００９】
本発明は、上記事情に鑑みてなされたものであり、その目的は、容易かつ安全に避雷針を取外すことのできる避雷針取外方法及び避雷針取外用治具を提供することにある。
【課題を解決するための手段】
【００１０】
以下、上記課題を解決するのに適した各手段につき項分けして説明する。なお、必要に応じて対応する手段に特有の作用効果を付記する。
【００１１】
手段１．下端部が固定具により建物に固定され、複数部材が所定の接続部を含む接続部にて接続されて形成される避雷針を、前記固定具を取外しても安定して立てた状態で吊上げて、建物から取外すための避雷針取外方法であって、
前記避雷針を取外す際に、
前記避雷針を外から覆うことができ所定の長さを有する鞘管と、
該鞘管の上端部近傍に前記鞘管の軸に直交方向に貫通して固定される第１取付部である環状の取付ワイヤと、
前記鞘間の下端部近傍に設けられる介錯ロープを取り付け可能にする第２取付部と、
前記取付ワイヤに一端を接続する所定の長さの第１台付ワイヤロープと、
前記鞘管長さに前記第１台付ワイヤロープの長さを加えた長さより長い第２台付ワイヤロープと
を備える避雷針取外用治具を用い、
前記鞘管の取付ワイヤに一端を接続された前記第１台付ワイヤロープの他端側を吊上げ手段であるクレーンのフックに対し取付ける第１ロープ取付工程と、
前記第２台付ワイヤロープの一端側を前記フックに対し取付ける第２ロープ取付工程と、
前記クレーンにより前記鞘管を吊上げ、前記避雷針に差し込む鞘管差込工程と、
前記避雷針の所定の接続部を含む高さ範囲に前記鞘管を配置した状態で、当該鞘管よりも下方に位置する前記避雷針の所定部位に対し前記第２台付ワイヤロープの他端側を取付ける避雷針締結工程と、
前記避雷針を前記建物に固定した固定具を取外す固定具取外工程と、
前記吊上げ手段により前記避雷針及び前記鞘管を吊上げ運搬する撤去工程とを備え、
前記鞘管として、その内径寸法が、前記避雷針の所定の接続部よりも上側部分の最大外径寸法及び下側部分の最小外径寸法を加えた大きさよりも小さいものを用いることを特徴とする避雷針取外方法。
【００１２】
上記手段１によれば、第１ロープを介してクレーン等の吊り上げ手段により吊上げた鞘管を既設の避雷針に対し差込み、緩み等の発生した接続部を取り囲むと共に、この状態を維持したまま、当該鞘管よりも下方に位置する避雷針の所定部位に対し避雷針吊上げ用の第２ロープを固定することで、避雷針及び鞘管を併せて吊上げ運搬する。この際、鞘管として、その内径寸法が、避雷針の所定の接続部よりも上側部分の最大外径寸法及び下側部分の最小外径寸法を加えた大きさよりも小さいものを用いる。
【００１３】
これにより、避雷針の吊上げ撤去中に万が一、緩み等が発生した接続部から上側部分がぐらついたとしても、当該上側部分を鞘管で支えることができる。ひいては、当該上側部分が下側部分から外れた場合でも、当該上側部分が下側部分と鞘管との隙間から落下するのを防止することができる。
【００１４】
また、避雷針の上側部分に関しては、吊り上げ手段により吊上げた鞘管を差し込むことで保持しているため、当該部分を所定のロープで固定する高所作業を行う必要がなく、避雷針の下側部分を一点固定する低所作業だけで、避雷針を安定して吊上げることができる。
【００１５】
結果として、避雷針の撤去作業を行うに際し、建物の屋上等に足場を組立てる必要もなく、建物から容易かつ安全に避雷針を取外すことができる。結果として、作業者の手間数の削減、工事時間の短縮、コスト削減、安全性の向上等を図ることができる。
【００１６】
手段２．一端に延び出したワイヤロープを有する安全ブロックの他端を前記フックに対し取付ける安全ブロック取付工程と、
前記延び出したワイヤロープに対し作業者の装着した安全帯を繋ぐ安全帯接続工程とを備えたことを特徴とする手段１に記載の避雷針取外方法。
【００１７】
上記手段２によれば、吊上げ手段に対し安全ブロックを取付けることで、作業者が装着する安全帯を繋ぐ箇所を別途確保する必要もなく、利便性の向上を図ると共に、さらなる安全性の向上を図ることができる。
【００１８】
手段３．前記鞘管の下端部近傍に設けられる前記第２取付部に対して取付けた介錯ロープを作業員が水平方向に誘導することで、前記クレーンにより吊上げられた前記鞘管を誘導する誘導工程を備えたことを特徴とする手段１又は２に記載の避雷針取外方法。
【００１９】
上記手段３によれば、鞘管を避雷針に差し込む作業等が行いやすくなり、作業効率の向上を図ることができる。
【００２０】
手段４．下端部が固定具により建物に固定され、複数部材が所定の接続部を含む接続部にて接続されて形成される避雷針を、前記固定具を取外しても安定して立てた状態で吊上げて、建物から取外す避雷針取外方法で用いられる避雷針取外用治具であって、
前記避雷針を外から覆うことができ所定の長さを有する鞘管と、
該鞘管の上端部近傍に前記鞘管の軸に直交方向に貫通して固定される第１取付部である環状の取付ワイヤと、
前記鞘間の下端部近傍に設けられる介錯ロープを取り付け可能にする第２取付部と、
前記取付ワイヤに一端を接続する所定の長さの第１台付ワイヤロープと、
前記鞘管長さに前記第１台付ワイヤロープの長さを加えた長さより長い第２台付ワイヤロープと
を備え、
前記鞘管として、その内径寸法が、前記避雷針の前記所定の接続部よりも上側部分の最大外径寸法及び下側部分の最小外径寸法を加えた大きさよりも小さく形成され、
前記避雷針を建物から取り外す際には、
前記鞘管の取付ワイヤに一端を接続された前記第１台付ワイヤロープの他端側を吊上げ手段であるクレーンのフックに対し取付け、
前記第２台付ワイヤロープの一端側を前記フックに対し取付け、
前記吊上げ手段により前記鞘管を吊上げ、前記介錯ロープで誘導しつつ前記避雷針に差し込み、
前記避雷針の所定の接続部を含む高さ範囲に前記鞘管を配置した状態で、当該鞘管よりも下方に位置する前記避雷針の所定部位に対し前記第２台付ワイヤロープの他端側を取付け、
前記避雷針を前記建物に固定した固定具を取外し、
前記吊上げ手段により前記避雷針及び前記鞘管を吊上げ運搬するように用いられる
ことを特徴とする避雷針取外用治具。
【００２１】
上記手段４の避雷針取外用治具を使用することにより、上記手段１の避雷針取外方法を実施することができ、上記手段１と同様の作用効果が奏される。
【００２３】
また、鞘管を避雷針に差し込む作業等が行いやすくなり、作業効率の向上を図ることができる。
【図面の簡単な説明】
【００２４】
【図１】鞘管を示す正面図である。
【図２】鞘管を示す平面図である。
【図３】既設の避雷針ポールを示す図である。
【図４】鞘管を誘導し避雷針ポールへ差し込む過程を示す図である。
【図５】鞘管を避雷針ポールの所定位置に配置する過程を示す図である。
【図６】第２台付ワイヤロープを避雷針ポールに取付ける過程を示す図である。
【図７】避雷針ポールを吊上げ撤去する過程を示す図である。
【図８】従来の避雷針ポールの取外方法を説明するための図である。
【発明を実施するための形態】
【００２５】
以下、本発明の一実施形態を図面を参照して説明する。先ずは本発明の避雷針取外方法により取外される避雷針ポールの一例について説明する。図３に示すように、避雷針ポール５０は、その先端部を構成する突針５１と、当該突針５１を支持する第１支持管５２と、当該第１支持管５２を支持する第２支持管５３と、当該第２支持管５３を支持する第３支持管５４とが接続されてなる。そして、避雷針ポール５０は、固定具としての複数の取付金物５５を用いて最下の第３支持管５４を建物６０の側壁部分に固定することにより立設されている。
【００２６】
突針５１及び支持管５２〜５４は、電気的導通を有する金属から構成され、図示しない雷保護のための接地極へ電気的導通を保ち接続されている。また、本実施形態における突針５１及び支持管５２〜５４の長さは、例えば、それぞれ突針５１が４００ｍｍ、第１支持管５２が１５００ｍｍ、第２支持管５３が３５００ｍｍ、第３支持管５４が４０００ｍｍとなっている。
【００２７】
突針５１と第１支持管５２の接続部Ｓ１、第１支持管５２と第２支持管５３の接続部Ｓ２、及び、第２支持管５３と第３支持管５４との接続部Ｓ３は、例えばねじ込み式、ロウ付けなど公知の接続方法により接続されている。
【００２８】
次に本発明に係る避雷針取外用治具の一例について説明する。図４に示すように、避雷針取外用治具１は、円筒状の鞘管２と、当該鞘管２を吊り上げるための第１台付ワイヤロープ（第１ロープ）３と、避雷針ポール５０を吊り上げるための第２台付ワイヤロープ（第２ロープ）４と、鞘管２を誘導するための介錯ロープ（誘導ロープ）５とを備えている。
【００２９】
本実施形態の鞘管２は、ポリ塩化ビニル製の工業的に量産されている既存のパイプを利用して形成されている。また、その長さは、上記避雷針ポール５０に対応して、例えば長さ４０００ｍｍとなっている。
【００３０】
図１に示すように、鞘管２の上端部近傍には、第１台付ワイヤロープ３の一端を接続するための第１取付部として取付ワイヤ７が環状に取付けられている（図２参照）。また、鞘管２の下端部近傍には、介錯ロープ５を接続するための第２取付部としてＩボルト８が取付けられている。
【００３１】
次に、上記避雷針取外用治具１を用いた避雷針取外方法について、第１支持管５２と第２支持管５３の接続部Ｓ２が緩んでいる場合を例に説明する。
【００３２】
まず取外対象となる避雷針ポール５０が設置された建物６０の近くに吊上げ手段としてのクレーン（図示略）を配置する。
【００３３】
続いて、鞘管２の取付ワイヤ７に対し第１台付ワイヤロープ３の一端を取付け、Ｉボルト８に対し介錯ロープ５を取付ける。
【００３４】
同時に、クレーンのフック５７（図４参照）に対し、鞘管２に取付けられた第１台付ワイヤロープ３の他端側を取付ける（第１ロープ取付工程）と共に、第２台付ワイヤロープ４の一端側を取付ける（第２ロープ取付工程）。併せて、フック５７に対し安全ブロック５９を取付ける（安全ブロック取付工程）。
【００３５】
なお、鞘管２としては、その内径寸法が、当該鞘管２が覆うこととなる接続部Ｓ２よりも上側部分である第１支持管５２の最大外径寸法α１及び下側部分である第２支持管５３の最小外径寸法α２を加えた値よりも小さい値となる直径２００ｍｍのものを採用している（図３参照）。また、各台付ワイヤロープ３，４としては、接続部Ｓ２の高さ位置に合せて予め適切な長さに設定したものを用いている。
【００３６】
これらの取付けが完了したら、図４に示すように、クレーンにて鞘管２（第１台付ワイヤロープ３）、第２ワイヤロープ４及び安全ブロック５９を吊り上げると共に、作業員Ｐが介錯ロープ５を掴んで鞘管２を誘導しつつ（誘導工程）、当該鞘管２を避雷針ポール５０に対し差し込んでいく（鞘管差込工程）。
【００３７】
そして、図５に示すように、第１支持管５２と第２支持管５３の接続部Ｓ２を含む高さ範囲に鞘管２が配置された状態でクレーンを一旦停止させる。
【００３８】
次に作業員Ｐは安全帯５６を装着すると共に、安全ブロック５９から延び出したワイヤロープ５９ａの先に安全帯７を接続する（安全帯接続工程）。
【００３９】
続けて、作業員Ｐは、図６に示すように、脚立やたち馬などの低い高さの簡易な足場（以下、脚立という）６２を用いて建物６０の屋根に上り、クレーンにより吊り上げられた第２台付ワイヤロープ４の他端部を第３支持管５４に固定する（避雷針締結工程）。例えば、第３支持管５４に対しボルト等を取付け、当該ボルト等に引っ掛かるように第２台付ワイヤロープ４を第３支持管５４に巻き付け、シャックル等を用いて固定する。
【００４０】
第２台付ワイヤロープ４の取付けが完了したら、作業員Ｐは脚立６２を降りつつ、避雷針ポール５０を固定した取付金物５５を取外す（固定具取外工程）。
【００４１】
そして、クレーンにより避雷針ポール５０及び鞘管２を吊上げ、介錯ロープ５で誘導しながら所定のスペースまで運び、荷降ろしする（撤去工程）。
【００４２】
以上詳述したように、本実施形態によれば、避雷針ポール５０の吊上げ撤去中に万が一、緩み等が発生した接続部Ｓ２から上側部分（突針５１及び第１支持管５２）がぐらついたとしても、当該上側部分を鞘管２で支えることができる。ひいては、当該上側部分が下側部分（第２支持管５３及び第３支持管５４）から外れた場合でも、当該上側部分が下側部分と鞘管２との隙間から落下するのを防止することができる。
【００４３】
また、避雷針ポール５０の上側部分に関しては、クレーンにより吊上げた鞘管２を差し込むことで保持しているため、当該部分を所定のロープで固定する高所作業を行う必要がなく、避雷針ポール５０の下側部分を一点固定する低所作業だけで、避雷針ポール５０を安定して立てた状態で吊上げることができる。
【００４４】
結果として、避雷針ポール５０の撤去作業を行うに際し、建物６０の屋上等に足場を組立てる必要もなく、建物６０から容易かつ安全に避雷針ポール５０を取外すことができる。結果として、作業者Ｐの手間数の削減、工事時間の短縮、コスト削減、安全性の向上等を図ることができる。
【００４５】
さらに、本実施形態では、クレーンのフック５７に対し安全ブロック５９を取付け、当該安全ブロック５９に対し作業者Ｐの装着した安全帯７を繋ぐことで、安全帯７を繋ぐ箇所を別途確保する必要もなく、利便性の向上を図ると共に、さらなる安全性の向上を図ることができる。
【００４６】
吊上げられた鞘管２を介錯ロープ５を介して誘導することにより、鞘管２を避雷針ポール５０に差し込む作業等が行いやすくなり、作業効率の向上を図ることができる。
【００４７】
以上説明した実施形態において、例えば、次のように構成の一部を適宜変更して実施することも可能である。勿論、以下において例示しない他の変更例も当然可能である。
【００４８】
（ａ）上記実施形態に係る鞘管２は、その長さが４０００ｍｍで、内径寸法が２００ｍｍのポリ塩化ビニル製の既存のパイプを利用して形成されているが、鞘管２の大きさや材質などその構成は上記実施形態に限定されるものではない。
【００４９】
例えば、ポリ塩化ビニルとは異なる合成樹脂材料や金属材料など、他の材料により形成されていてもよい。
【００５０】
また、上記実施形態では、台付ワイヤロープ３，４を取付ける取付部として、取付ワイヤ７やＩボルト８が用いられているが、これに限らず、他の部材を用いてもよいし、台付ワイヤロープ３，４を取付ける取付部を鞘管２に一体形成した構成としてもよい。
【００５１】
（ｂ）鞘管吊上げ用の第１ロープ、及び、避雷針吊上げ用の第２ロープは、上記実施形態の台付ワイヤロープに限定されるものではなく、材質など構成の異なるもの採用してもよい。例えば、上記実施形態では、予め長さが設定されたロープを用いているが、これに限らず、長さ調節可能なロープを採用してもよい。
【００５２】
（ｃ）上記実施形態では、鞘管２等を適切に誘導するために介錯ロープ５を用いる構成となっているが、これに限らず、介錯ロープ５を省略した構成としてもよい。但し、鞘管２等を適切に誘導するためには、介錯ロープ５を備えることが好ましい。
【００５３】
（ｄ）上記実施形態では、建物６０の側壁に固定された避雷針ポール５０を取外対象としているが、これに限らず、例えば建物の屋上等に設けられた所定の取付台に立設された避雷針ポールを対象としてもよい。
【００５４】
また、避雷針ポール５０の長さや接続構成など、その構成も上記実施形態に限定されるものではない。例えば、突針とそれを支持する１つの支持管からなる構成の避雷針ポールを取外対象としてもよい。
【００５５】
（ｅ）避雷針ポール５０を取外す各工程の作業内容に関しても上記実施形態に限定されるものではない。例えば、上記実施形態では、作業員Ｐが建物６０の屋根に上る作業を要するため、フック５７に対し安全ブロック５９を取付ける工程や当該安全ブロック５９に作業員Ｐの装着した安全帯５６を接続する工程を要するが、高所作業を要しない安全な場所で第２台付ワイヤロープ４を避雷針ポール５０に取付けることができるような場合には、必ずしも安全帯５６を装着する必要はなく、ひいてはフック５７に対し安全ブロック５９を取付ける工程も省略することができる。
【符号の説明】
【００５６】
１…避雷針取外用治具、２…鞘管、３…第１台付ワイヤロープ、４…第２台付ワイヤロープ、５…介錯ロープ、５０…避雷針ポール、５１…突針、５２，５３，５４…支持管、５５…取付金物、５６…安全帯、５９…安全ブロック、６０…建物、Ｓ１〜Ｓ３…接続部、Ｐ…作業員。
【図１】
0005669645.tif 000002
【図２】
0005669645.tif 000003
【図３】
0005669645.tif 000004
【図４】
0005669645.tif 000005
【図５】
0005669645.tif 000006
【図６】
0005669645.tif 000007
【図７】
0005669645.tif 000008
【図８】
0005669645.tif 000009